(57)【要約】【課題】一枚からなる旧ウエブの末端に新ウエブの先端を突き合わせて接合テープで継がれた新旧ウエブにおける新ウエブの保護シートを剥離しつつ引き取る。【解決手段】新旧ウエブ通路Ｒ１の途中に配置した新旧ウエブ送り装置２と、新旧ウエブ通路Ｒ１から離れた待機位置Ｇ２から新旧ウエブ通路に接する作業位置Ｇ１まで作業面７ａを進退させる作業台装置６と、引取シートＳ及び保護シートＷ２を引き取るシート巻取装置９と、シート巻取装置９から延びるシート通路Ｒ２に接近する受取位置Ｈ１から作業位置Ｇ１で停止中の作業面７ａへ接近する接合位置Ｈ２まで吸着面１６ａを進退させる引取シート進退装置１５と、シート通路Ｒ２から離れた待機位置かＫ１ら受取位置Ｈ１で待機中の吸引保持具１６の吸着面１６ａへ接近する貼着位置Ｋ２まで保持面１９ａを進退させる両面粘着テープ供給装置１８とを備えたこと。【選択図】図１
2011088739.tif 000002
【特許請求の範囲】
【請求項１】
一枚からなる旧ウエブの末端と一方面側の基本シート及び他方面側の保護シートの二枚合わせからなる新ウエブの先端とを突き合わせて一方面側の突合わせ端縁に跨って貼着した接合テープで継がれた新旧ウエブにおける新ウエブの他方面側の保護シートを剥離しつつ引き取る方法において、受取位置で停止中の吸引保持具の吸引面に引取シートの先端側の一方面側を吸引保持させると共に、該引取シートの先端側の他方面側に両面粘着テープを貼着する第１工程と、新旧ウエブを走行停止させて、作業台の作業面に新旧ウエブの突合わせ継ぎ箇所を支持させる第２工程と、吸引保持具の吸引面を受取位置から作業台の作業面に対面する接合位置まで前進させて、両面粘着テープ付きの引取シートを引き出すと共に、作業面に支持させた新ウエブの保護シートの先端側に両面粘着テープを吸引面で圧着して引取シートの先端側を接合する第３工程と、吸引保持具の吸引面を接合位置から受取位置まで後退させ、吸引面と共に移動する引取シートの先端側に接合してある保護シートを新ウエブから剥離しつつ引き取る第４工程と、受取位置で停止中の吸引保持具の吸引面を吸引停止状態にした状態で、新旧ウエブの走行と接合した引取シート及び保護シートの引き取りを並行して行なう第５工程とからなり、第１工程乃至第５工程をこの順番で行なうか、第２工程、第１工程、第３工程、第４工程及び第５工程の順番で行なうか、又は第１工程及び第２工程を並行して行なった後に第３工程、第４工程及び第５工程の順番で行なうことを特徴とする新ウエブの保護シートの引取方法。
【請求項２】
第１工程において、吸引保持具の吸引面へ至る引取シートを移動自在なパスライン調整用ガイドロールに巻掛け、第３及び４工程において、引保持具の移動と同期させてパスライン調整用ガイドロールを移動して引取シートのパスライン長さ寸法を一定にする請求項１記載の新ウエブの保護シートの引取方法。
【請求項３】
第５工程において、新旧ウエブの走行と引取シート及び保護シートの引き取りを行なう前に、作業台の作業面に支持させた新旧ウエブの突合わせ継ぎ箇所の他方面側の突合わせ端縁に跨って接合テープを貼着する請求項１又は２記載の新ウエブの保護シートの引取方法。
【請求項４】
新ウエブの保護シートを剥離しつつ引き取るための引取装置において、継がれた新旧ウエブを導く新旧ウエブ通路の途中に配置した新旧ウエブ送りロールを駆動装置で送り停止させる新旧ウエブ送り装置と、作業面を有する作業台を進退操作装置で操作して、新旧ウエブ通路から離れた待機位置から新旧ウエブ通路のウエブ送りロールより下流側に接する作業位置まで作業面を進退させる作業台装置と、引取シート及び保護シートを引き取るシート巻取装置と、吸引状態と吸引停止状態に切替自在な吸着面を有する吸引保持具を進退操作装置で操作して、シート巻取装置から延びるシート通路に接近する受取位置から作業位置で停止中の作業台の作業面へ接近する接合位置まで吸着面を進退させる引取シート進退装置と、貼着剥離可能な両面粘着テープ用保持面を有する両面粘着テープ保持具を進退操作装置で操作して、シート通路から離れた待機位置から上記受取位置で待機中の吸引保持具の吸着面へ接近する貼着位置まで保持面を進退させる両面粘着テープ供給装置とを備えたことを特徴する新ウエブの保護シートの引取装置。
【請求項５】
前記シート巻取装置から前記引取シート進退装置の吸着面へ至るシート通路の途中を巻き掛けるように配置したパスライン調整用ガイドロールを移動操作装置で往復移動させるパスライン調整装置を備え、該移動操作装置を前記引取シート進退装置の進退操作装置と同期させ、上記シート通路のパスライン長さ寸法を一定にする請求項４記載の新ウエブの保護シートの引取装置。
【請求項６】
テープ保持面を有するテープ保持具を進退操作装置で操作して、前記新旧ウエブ通路から離れた待機位置から前記作業位置で停止中の作業台の作業面へ接近する貼着位置まで該テープ保持面を進退させるテープ貼着装置を備えた請求項４又は５記載の新ウエブの保護シートの引取装置。
【発明の詳細な説明】
【技術分野】
【０００１】
本発明は、一枚からなる旧ウエブの末端と基本シート及び保護シートの二枚合わせからなる新ウエブの先端とを突き合わせて一方面側の突合わせ端縁に跨って貼着した接合テープで継がれた新旧ウエブにおける新ウエブの他方面側の保護シートを剥離しつつ引き取る引取方法及び引取装置に関するものである。
【背景技術】
【０００２】
ウエブには、前処理装置で洗浄や塗布乾燥等の処理を施した基本シートに保護シートを重ね合わせた二枚からなり、前処理装置とオフラインの後処理装置において更に基本シートに後処理を施すものがある。
【０００３】
後処理装置に基本シート及び保護シートの二枚からなる新ウエブを送り込むには、後処理装置の稼働効率を向上させるために、後処理装置に通されて待機中又は処理中の一枚の旧シートの末端に新ウエブの基本シートの先端を突き合わせた状態で継いで行うことがある。一枚の旧シートの末端に二枚合わせの新ウエブの先端を突き合わせる方法及び装置としては、特許文献１に記載のものがある。
【先行技術文献】
【特許文献】
【０００４】
【特許文献１】特開平１０−３０５９５０号公報
【発明の概要】
【発明が解決しようとする課題】
【０００５】
ところで、旧シートと新ウエブの基本シートの突合わせ端縁に跨って貼着して接合テープで継いだ旧ウエブを後処理装置へ送って、新ウエブの基本シートに後処理を施す場合には、旧シートに継いである基本シートのみを送るために、新ウエブの先端から保護シートを剥離して引き取る必要がある。
【０００６】
従来、一枚の旧シートに継いである新ウエブの先端から保護シートを剥離しつつ引き取るのには、作業者の手作業に頼っており、新ウエブの先端から保護シートを剥離し、剥離した保護シートの先端を、指先で摘まんで引っ張って保護シート巻取装置へ接合して行っていた。
【０００７】
しかし、作業者の指先に頼る手作業では、新ウエブの保護シートを円滑に剥離しつつ引取ることが難しく、新ウエブの基本シートに傷を付ける等の問題を招くことがある。
【０００８】
本発明は、上記問題を解決するために、新ウエブの保護シートを円滑に剥離しつつ引取る方法及び装置の提供を目的とする。
【課題を解決するための手段】
【０００９】
旧ウエブに突き合わせて接合テープで継がれた新ウエブの保護シートを円滑に剥離しつつ引き取るために請求項１記載の本発明が採用した手段は、一枚からなる旧ウエブの末端と一方面側の基本シート及び他方面側の保護シートを二枚合わせした新ウエブの先端とを突き合わせて一方面側の突合わせ端縁に跨って貼着した接合テープで継がれた新旧ウエブにおける新ウエブの他方面側の保護シートを剥離しつつ引き取る方法において、受取位置で停止中の吸引保持具の吸引面に引取シートの先端側の一方面側を吸引保持させると共に、該引取シートの先端側の他方面側に両面粘着テープを貼着する第１工程と、新旧ウエブを走行停止させて、作業台の作業面に新旧ウエブの突合わせ継ぎ箇所を支持させる第２工程と、吸引保持具の吸引面を受取位置から作業台の作業面に対面する接合位置まで前進させて、両面粘着テープ付きの引取シートを引き出すと共に、作業面に支持させた新ウエブの保護シートの先端側に両面粘着テープを吸引面で圧着して引取シートの先端側を接合する第３工程と、吸引保持具の吸引面を接合位置から受取位置まで後退させ、吸引面と共に移動する引取シートの先端側に接合してある保護シートを新ウエブから剥離しつつ引き取る第４工程と、受取位置で停止中の吸引保持具の吸引面を吸引停止状態にした状態で、新旧ウエブの走行と接合した引取シート及び保護シートの引き取りを並行して行なう第５工程とからなり、第１工程乃至第５工程をこの順番で行なうか、第２工程、第１工程、第３工程、第４工程及び第５工程の順番で行なうか、又は第１工程及び第２工程を並行して行なった後に第３工程、第４工程及び第５工程の順番で行なうことを特徴とする新ウエブの保護シートの引取方法である。
【００１０】
新ウエブから保護シートに対する引取シートの接合と保護シートの引き取りを円滑に行うために請求項２記載の本発明が採用した手段は、第１工程において、吸引保持具の吸引面へ至る引取シートを移動自在なパスライン調整用ガイドロールに巻掛け、第３及び４工程において、引保持具の移動と同期させてパスライン調整用ガイドロールを移動して引取シートのパスライン長さ寸法を一定にする請求項１記載の新ウエブの保護シートの引取方法である。
【００１１】
新旧ウエブの接合を強固にするために請求項３記載の本発明が採用した手段は、第５工程において、新旧ウエブの走行と引取シート及び保護シートの引き取りを行なう前に、作業台の作業面に支持させた新旧ウエブの突合わせ継ぎ箇所の他方面側の突合わせ端縁に跨って接合テープを貼着する請求項１又は２記載の新ウエブの保護シートの引取方法である。
【００１２】
一枚からなる旧ウエブの末端に基本シート及び保護シートを重ね合わせた二枚からなる新ウエブの先端を突き合わせて一方面側の突合わせ端縁に跨って貼着した接合テープで継がれた新旧ウエブにおける新ウエブの他方面側の保護シートを剥離しつつ引き取るために請求項４記載の本発明が採用した手段は、新ウエブの保護シートを剥離しつつ引き取るための引取装置において、継がれた新旧ウエブを導く新旧ウエブ通路の途中に配置した新旧ウエブ送りロールを駆動装置で送り停止させる新旧ウエブ送り装置と、作業面を有する作業台を進退操作装置で操作して、新旧ウエブ通路から離れた待機位置から新旧ウエブ通路のウエブ送りロールより下流側に接する作業位置まで作業面を進退させる作業台装置と、引取シート及び保護シートを引き取るシート巻取装置と、吸引状態と吸引停止状態に切替自在な吸着面を有する吸引保持具を進退操作装置で操作して、シート巻取装置から延びるシート通路に接近する受取位置から作業位置で停止中の作業台の作業面へ接近する接合位置まで吸着面を進退させる引取シート進退装置と、貼着剥離可能な両面粘着テープ用保持面を有する両面粘着テープ保持具を進退操作装置で操作して、シート通路から離れた待機位置から上記受取位置で待機中の吸引保持具の吸着面へ接近する貼着位置まで保持面を進退させる両面粘着テープ供給装置とを備えたことを特徴する新ウエブの保護シートの引取装置である。
【００１３】
請求項４記載の本発明は、新旧ウエブ通路に導かれる継がれた新旧ウエブを新旧ウエブ送り装置で送り、作業台装置の作業位置で停止中の作業面に新旧ウエブの突合わせ継ぎ箇所を支持させた状態で停止させると共に、引取シート進退装置の受取位置に停止中の吸引保持具の吸着面に、シート巻取装置から延びる引取シートの先端側を吸引保持させた状態で、粘着テープ供給装置の両面粘着テープ用保持面が待機中に引き受けた両面粘着テープを貼着位置へ移動させて引取シートの先端側に貼着し、次に、吸引保持具の吸引面を受取位置から作業台の作業面に対面する接合位置まで前進させて両面粘着テープ付きの引取シートを引き出すと共に、作業面に支持させた新ウエブの保護シートの先端側に、両面粘着テープを引取シートを介して吸引面で圧着して引取シートの先端側を接合し、続けて、吸引保持具の吸引面を接合位置から受取位置まで後退させて吸引面と共に移動する引取シートの先端側に接合してある保護シートを新ウエブから剥離しつつ移動させ、その後に、受取位置で停止中の吸引保持具の吸引面を吸引停止状態にして、新旧ウエブの走行とシート巻取装置による引取シート及び保護シートの引き取りを並行して行なうことができる。
【００１４】
新ウエブから保護シートに対する引取シートの接合と保護シートの引き取りを円滑に行うために請求項５記載の本発明が採用した手段は、前記シート巻取装置から前記引取シート進退装置の吸着面へ至るシート通路の途中を巻き掛けるように配置したパスライン調整用ガイドロールを移動操作装置で往復移動させるパスライン調整装置を備え、該移動操作装置を前記引取シート進退装置の進退操作装置と同期させ、上記シート通路のパスライン長さ寸法を一定にする請求項４記載の新ウエブの保護シートの引取装置である。
【００１５】
新旧ウエブの接合を強固にするために請求項６記載の本発明が採用した手段は、テープ保持面を有するテープ保持具を進退操作装置で操作して、前記新旧ウエブ通路から離れた待機位置から前記作業位置で停止中の作業台の作業面へ接近する貼着位置まで該テープ保持面を進退させるテープ貼着装置を備えた請求項４又は５記載の新ウエブの保護シートの引取装置である。
【発明の効果】
【００１６】
請求項１記載の本発明に係る新ウエブの保護シートの引取方法は、作業台の作業面に支持されて停止中の新ウエブの保護シートの先端側に両面粘着テープを引取シートを介して吸引保持具の吸引面で圧着して引取シートの先端側を確実に接合し、継がれている新旧ウエブの走行と両面粘着テープで接合した引取シート及び保護シートの引き取りとを並行して行なうことで、新ウエブの保護シートを円滑に剥離しつつ引き取ることができる。
【００１７】
請求項２記載の本発明に係る新ウエブの保護シートの引取方法は、吸引保持具の保持面に吸引保持されて吸引保持具と共に移動する引取シートのパスライン長さ寸法を一定にすることで引取シートの張力を安定させることができ、第３工程において新ウエブの保護シートの先端側に張力の安定した引取シートの先端側を円滑に接合でき、第４工程において張力の安定している引取シートに接合している保護シートを円滑に剥離しつつ引き取ることができる。
【００１８】
請求項３記載の本発明に係る新ウエブの保護シートの引取方法は、新旧ウエブの他方面側の突合わせ端縁どうしを接合テープで接合するので、新旧ウエブの接合を強固にできる。
【００１９】
請求項４記載の本発明に係る新ウエブの保護シートの引取装置は、作業台の作業面に支持されて停止中の新ウエブの保護シートの先端側に両面粘着テープで引取シートの先端側を確実に接合し、継がれている新旧ウエブの走行と両面粘着テープで接合した引取シート及び保護シートの引き取りとを並行して行なうことで、新ウエブの保護シートを円滑に剥離しつつ引き取ることができる。
【００２０】
請求項５記載の本発明に係る新ウエブの保護シートの引取装置は、吸引保持具の保持面に吸引保持されて吸引保持具と共に移動する引取シートのパスライン長さ寸法を一定にすることで引取シートの張力を安定させることができ、新ウエブの保護シートの先端側に張力の安定した引取シートの先端側を円滑に接合できると共に、吸引保持具の吸引面を接合位置から受取位置まで後退させるときに、張力の安定している引取シートに接合している保護シートを円滑に剥離しつつ引き取ることができる。
【００２１】
請求項６記載の本発明に係る新ウエブの保護シートの引取装置は、新旧ウエブの他方面側の突合わせ端縁どうしに接合テープをテープ保持具で接合することができるので、新旧ウエブの接合を強固にできる。
【図面の簡単な説明】
【００２２】
【図１】図（Ａ）は本発明引取装置１の実施の形態を示す左側面図、図（Ｂ）は図（Ａ）の一点鎖線ｂで囲まれた箇所を拡大した側面図である。
【図２】図１のＩＩ−ＩＩで断面して中間省略した正面図である。
【図３】本発明引取装置１の要部を拡大して示す左側面図である。
【図４】図（Ａ）は送り停止させた新旧ウエブＷ３の突合わせ継ぎ箇所Ｗ３ａを作業台７の作業面７ａに支持させると共に、吸引保持具１６の吸引面１６ａに吸着保持させた引取シートＳの先端側に両面粘着テープＴ２を粘着テープ供給装置１８で貼着している状態を示す左側面図、図（Ｂ）は図（Ａ）の一点鎖線ｂで囲まれた箇所を拡大した側面図である。
【図５】図（Ａ）は新ウエブＷ２の保護シートＷ２ａの先端に両面粘着テープＴ２を介して引取シートＳの先端側を吸引保持具１６で接合している状態を示す左側面図、図（Ｂ）は図（Ａ）の一点鎖線ｂで囲まれた箇所を拡大した側面図である。
【図６】図（Ａ）は旧ウエブＷ１と新ウエブＷ２の基本シートＷ２ｂとの突合わせ端縁に跨って接合テープＴ１をテープ貼着装置２４で接合すると共に、吸引保持具１６の受取位置Ｈ１まで後退させた吸引面１６ａを非吸引状態にして吸引面１６ａから引取シートＳを離反させた状態を示す左側面図、図（Ｂ）は図（Ａ）の一点鎖線ｂで囲まれた箇所を拡大した側面図である。
【図７】図（Ａ）〜（Ｆ）は本発明引取方法の手順を示する概略側面図である。
【図８】図（Ａ）〜（Ｄ）は本発明引取装置１を用いて基本シートＷ１ｂ及び保護シートＷ１ａからなる二枚合わせの旧ウエブＷ１に突合わせ継ぎした二枚合わせの新ウエブＷ２から保護シートＷ２ａを剥離して引き取ると共に、新旧ウエブＷ３の基本シートＷ１ｂ，Ｗ２ｂどうしの突合わせ端縁に跨って接合テープＴ３を貼着する手順を示す概略側面図である。
【図９】図（Ａ）〜（Ｄ）は本発明引取装置を用いて基本シートＷ１ｂ及び保護シートＷ１ａからなる二枚合わせの旧ウエブＷ１に一枚の新ウエブＷ２を突合わせ継ぎしたときに、旧ウエブＷ１の剥離した保護シートＷ１ａの末端を、吸引保持具１６の吸引面１６ａに吸着保持できる位置に停止させる手順を示する概略側面図である。
【発明を実施するための形態】
【００２３】
本発明に係る新ウエブの保護シートの引取方法（以下、「本発明引取方法」と言う。）及び新ウエブの保護シートの引取装置（以下、「本発明引取装置」と言う。）を図１乃至図９に示す実施形態に基づいて説明する。
【００２４】
本発明引取装置１は、図１、図２及び図７に示す如く、一枚からなる旧ウエブＷ１の末端と一方面側の基本シートＷ２ｂ（図１（Ｂ）参照）及び他方面側の保護シートＷ２ａの二枚合わせからなる新ウエブＷ２の先端とを突き合わせて一方面側の突合わせ端縁に跨って貼着した接合テープＴ３で継ぐウエブ突合わせ継ぎ装置３０から延びて新旧ウエブＷ３を導く新旧ウエブ通路Ｒ１の途中に配置した新旧ウエブ送り装置２と、新旧ウエブＷ３の突合わせ継ぎ箇所Ｗ３ａを支持する作業台装置６（図７（Ｂ）参照）と、接合した引取シートＳ及び保護シートＷ２ａを引き取るシート巻取装置９（図７（Ｆ）参照）と、シート巻取装置９から延びる引取シートＳの先端側を保持しつつ進退させる引取シート進退装置１５（図７（Ｃ）及び（Ｄ）参照）と、引取シート進退装置１５で保持した引取シートＳの先端側に両面粘着テープＴ２を貼着する両面粘着テープ供給装置１８（図７（Ｂ）参照）と、各装置を制御する制御装置２９を備えている。
【００２５】
本発明引取装置１は、必要に応じて、シート巻取装置９から延びるシート通路Ｒ２の途中に配置したシート送り装置１０と、シート通路Ｒ２のシート送り装置１０より上流側に配置したパスライン調整装置２１と、作業台装置６が支持している新旧ウエブＷ３の突合わせ継ぎ箇所Ｗ３ａの他方面側に片面粘着の接合テープＴ１を貼着するテープ貼着装置２４と、新旧ウエブ送り装置２と作業台装置６の作業台７の間に配置され、新旧ウエブ通路Ｒ１を通過する新旧ウエブＷ３の突合わせ継ぎ箇所Ｗ３ａを検知する継ぎ目検知器２８を備えることもある。本発明引取装置１に併設した上記ウエブ突合わせ継ぎ装置３０は、特許文献１（特開平１０−３０５９５０号公報）等に記載されている公知の装置を用いることができる。
【００２６】
本発明引取装置１は、図１及び図２に示す如く、左右に配置した側フレーム３２，３３を複数個の接合フレーム３４で接合し支持フレーム３１に、前記新旧ウエブ送り装置２、作業台装置６、引取シート進退装置１５、両面粘着テープ供給装置１８、シート送り装置１０、パスライン調整装置１２及びテープ貼着装置２４を取付けてある。本発明引取装置１は、ウエブ突合わせ継ぎ装置３０から延びて、ガイドロール４２及び４３に接する新旧ウエブ通路Ｒ１を形成してある。
【００２７】
前記新旧ウエブ送り装置２は、図３に示す如く、新旧ウエブ通路Ｒ１の途中に配置した新旧ウエブ送りロール３と、ニップロール４と、新旧ウエブ送りロール３を送り停止させる駆動装置５（図２参照）とを備えている。ニップロール４は、進退操作装置３５で操作され、新旧ウエブ送りロール３から離反する後退位置から新旧ウエブ送りロール３に接するニップ位置まで進退するようにしてある。進退操作装置３５は、例えば、ニップロール４の左右の軸端部を支持する左右の支持具３５ａと、各支持具３５ａから延びる支持軸３５ｂ，３５ｂと、左右の側フレーム３１，３２に支持されて支持軸３５ｂ，３５ｂをスライド案内する左右の軸受部３５ｃと、左右の各軸受部３５ｃと支持具３５ａの間に設けたエアーシリンダ等からなる左右の移動操作具３５ｄを備え、左右の操作手段３５ｄを制御装置２９で制御することでニップロール４を進退させるように構成してある。新旧ウエブ送り装置２は、新旧ウエブ送りロール３に巻き掛けた新旧ウエブＷ３をニップロール４で押圧し、駆動装置５の起動停止で新旧ウエブ送りロール３を回転停止させて新旧ウエブＷ３の送り停止を行うようにしてある。
【００２８】
前記作業台装置６は、図３に示す如く、作業面７ａを有する作業台７と、作業台７を操作する進退操作装置８とを備え、作業面７ａを新旧ウエブ通路Ｒ１から離れた待機位置Ｇ２と新旧ウエブ通路Ｒ１のウエブ送りロール３，４より下流側に接する作業位置Ｇ１の間で進退させるようにしてある。進退操作装置８は、例えば、作業台７の左右の両端側を支持する左右の支持具８ａと、各支持具８ａから延びる支持軸８ｂ，８ｂと、左右の側フレーム３１，３２に支持されて支持軸８ｂ，８ｂをスライド案内する左右の軸受部８ｃと、左右の各軸受部８ｃと支持具８ａの間に設けたエアーシリンダ等からなる左右の操作具８ｄを備え、左右の移動操作具８ｄを制御装置２９で制御することで作業台７を進退させるように構成してある。
【００２９】
前記引取シート進退装置１５は、図３に示す如く、吸引状態と吸引停止状態に切替自在な吸着面１６ａを有する吸引保持具１６と、吸引保持具１６を操作する進退操作装置１７とを備え、吸引保持具１６の吸着面１６ａを、シート巻取装置９から延びるシート通路Ｒ２に接近する受取位置Ｈ１と作業位置Ｇ１で停止中の作業台７の作業面７ａへ接近する接合位置Ｈ２の間で進退させるようにしてある。進退操作装置１７は、例えば、吸引保持具１６の左右両端側を支持すると共に左右の側フレーム３１，３２に軸支１７ａした左右の揺動レバー１７ｂと、各揺動レバー１７ｂの枢支側に接合した操作アーム１７ｃと左右の側フレーム３１，３２の間に設けたエアーシリンダ等からなる左右の操作具１７ｄを備え、左右の操作具１７ｄを制御装置２９で制御することで吸引保持具１６を進退させるように構成してある。進退操作装置１７は、操作アーム１７ｃ及び操作具１７ｄを、側フレーム３２，３３の内側に配置する以外に、側フレーム３２，３３の外側に配置することも可能である。
【００３０】
前記両面粘着テープ供給装置１８は、図３に示す如く、貼着・剥離可能な両面粘着テープ用保持面１９ａを有する両面粘着テープ保持具１９と、両面粘着テープ保持具１９を進退させる進退操作装置２０とを備え、進退操作装置２０の操作で両面粘着テープ保持具１９の保持面１９ａを、シート通路Ｒ２から離れた待機位置Ｋ１と上記受取位置Ｈ１で待機中の吸引保持具１６の吸着面１６ａへ接近させる貼着位置Ｋ２の間で進退させるようにしある。両面粘着テープ保持具１９は、保持面１９ａを有する保持具本体部１９ｂと、引出し案内具１９ｃを備え、保持具本体部１９ｂを引出し案内具１９ｃに左右移動自在に取付けてある。保持具本体部１９ｂは、引出し案内具１９ｃに案内され、左右の側フレーム３２，３３の間の待機位置Ｋ１と側フレーム３２（又は３３）の開口部３２ａ（又は３３ａ）を通過して側フレーム３２（又は３３）の外側に位置する両面粘着テープ引受位置Ｋ３（図２参照）の間で進退でき、両面粘着テープ用保持面１９ａが両面粘着テープ引受位置Ｋ３で両面粘着テープＴ２を引受けるようにしてある。両面粘着テープ用保持面１９ａは、引受けた両面粘着テープＴ２を貼着状態で保持するが、後述する如く、引取シート進退装置１５の吸引保持面に吸引保持されている引取シートＳの先端側に、貼着位置Ｋ２で両面粘着テープＴ２を圧着した後に、引取シートＳの先端側から待機位置Ｋ１へ向かって離反するときに両面粘着テープＴ２を剥離させることができる特性を有している。両面粘着テープ保持具１９は、両面粘着テープ用保持面１９ａから両面粘着テープＴ２を円滑に剥離させるために、両面粘着テープ用保持面１９ａに空気噴出口を開設し、空気噴出口から空気を噴出しつつ待機位置Ｋ１へ向かって離反するように構成することもある。
【００３１】
前記両面粘着テープ供給装置１８の進退操作装置２０は、図３に示す如く、例えば、上下方向移動させる昇降手段３７と、昇降手段３７に接続した前後移動手段３８を備え、前後移動手段３８に接合した両面粘着テープ保持具１９を上下方向及び前後方向へ進退させるようにしてある。昇降手段３７は、左右の側フレーム３２，３３に取付けた上下方向へ延びる左右の各案内レール３７ａと、左右の各案内レール３７ａに横架して案内させた移動部３７ｂと、左右の側フレーム３２，３３に横架した接合フレーム３７ｃと移動部３７ｂの間に設けたエアーシリンダ等からなる移動操作具３７ｄとを備え、移動操作具３７ｄの操作で移動部３７ｂを昇降させるようにしてある。上記前後移動手段３８は、昇降手段３７の移動部３７ｂに接合した左右の軸受部３８ｃと、各軸受部３８ｃにスライド案内され一端部（図示例の場合は後端部）に前記両面粘着テープ保持具１９の引出し案内具１９ｃを接合した上下一組の支持軸３８ｂと、軸受部３８ｃと接合テープ貼着装置１９の間に配置したエアーシリンダ等からなる左右の移動操作具３８ｄとを備え、移動操作具３８ｄの操作で両面粘着テープ保持具１９を前後移動させるようにしてある。進退操作装置２０は、昇降手段３７の移動操作具３７ｄ及び前後移動手段３８の移動操作具３８ｄを制御装置２９で制御して、両面粘着テープ保持具１９を待機位置Ｋ１と貼着位置Ｋ２との間で進退させるようにしてある。なお、進退操作装置２０は、両面粘着テープ保持具１９を揺動させて、待機位置Ｋ１と貼着位置Ｋ２の間で進退させるように構成することも可能である。
【００３２】
前記シート送り装置１０は、図３に示す如く、シート巻取装置９から延びるシート通路Ｒ２の途中に配置したシート送りロール１１と、ニップロール１２と、ニップロール１２をシート送りロール１１から離反する後退位置とシート送りロール１１に接するニップ位置との間で進退させる進退操作装置３５と、シート送りロール１１の送り及び停止を行なう駆動装置１３（図２参照）を備えている。進退操作装置３５は、前記新旧ウエブ送り装置２の進退操作装置３５と同様に構成され、左右の移動操作手段３５ｄを制御装置２９で制御することでニップロール１２を進退させるように構成してある。シート送り装置１０は、駆動装置１３を手動で起動停止してニップ中のシート送りロール１１の送りと停止を行ない、引取シートＳ（図９に示す如く、旧ウエブＷ１から剥離して分離した保護シートＷ１ａの場合もある）の端寄りを引取シート進退装置１５の吸着面１６ａと対面させる。また、シート送り装置１０は、引取シートＳの端部を検知する検知器３６（図示例の場合は吸引保持具１６に取着してある）を備え、引取シートＳの端部Ｓａを検知した検知器３６の検知信号に基づいてニップ中のシート送りロール１１の送りを停止させて、保護シートＷ１ａの末端寄りを引取シート進退装置１５の吸着面１６ａと対面させるように、制御装置２９で駆動装置１３を制御するように構成することもある。
【００３３】
前記シート送り装置１０は、前記引取シート進退装置１５の吸引保持具１６の吸着面１６ａが受取位置Ｈ１と接合位置Ｈ２の間で進退するときには、ニップロール１２を後退させてニップを解除して引取シートＳがシート送りロール１１を通過できるようにし、また、図９（Ｂ）（Ｃ）に示す如く、旧ウエブＷ１の保護シートＷ１ａが剥離して分離したときには、ニップロール１２を前進させてシート送りロール１１とで保護シートＷ１ａを挟むと共に保護シートＷ１ａをシート送りロール１１で送って停止させ、保護シートＷ１ａの末端寄りを引取シート進退装置１５の吸着面１６ａと対面させるようにしてある。なお、保護シートＷ１ａは、末端寄りを引取シート進退装置１５の吸着面１６ａと対面させて停止したとき、前記引取シートＳとなって待機することになる。
【００３４】
前記パスライン調整装置２１は、図３に示す如く、シート巻取装置９から引取シート進退装置１５の吸引中の吸着面１６ａへ至るシート通路Ｒ２の途中を巻き掛けるように配置したパスライン調整用ガイドロール２２と、パスライン調整用ガイドロール２２によるシート通路Ｒ２の巻き掛けを確保するためのガイドロール２７，２７と、パスライン調整用ガイドロール２２を往復移動させるエアーシリンダ等からなる左右の移動操作装置２３とを備えている。パスライン調整装置２１は、移動操作装置２３を引取シート進退装置１５の進退操作装置１７と同期させ、引取シート進退装置１５の吸引保持具１６に保持した引取シートＳの先端側を吸引保持具１６と共に進退させても、シート巻取装置９から吸引保持具１６に至るシート通路Ｒ２上の引取シートＳのパスライン長さ寸法を一定にして、引取シートＳに弛みを生じさせないようにしてある。
【００３５】
前記テープ貼着装置２４は、図３に示す如く、テープ保持面２５ａを有するテープ保持具２５と、テープ保持具２５を進退させる進退操作装置２６とを備え、操作具２６の操作でテープ保持具２５を、新旧ウエブ通路Ｒ１から離れた待機位置Ｍ１と作業位置Ｇ１で停止中の作業台７の作業面７ａへテープ保持面２５ａを接近させる貼着位置Ｍ２との間で進退させるようにしてある。テープ保持具２５は、保持面２５ａを有する保持具本体部２５ｂ及び引出し案内具２５ｃを備え、引出し案内具２５ｃに保持具本体部２５ｂを左右移動自在に取付けてある。保持具本体部２５ｂは、保持面２５ａに吸引口を開設し、引受けた接合テープＴ１を吸引保持すると共に、後述する新旧ウエブＷ３の突合わせ継ぎ箇所Ｗ３ａにテープＴ１を貼着したときに非吸引状態となって、テープＴ１を離脱できるようにしてある。また、保持具本体部２５ｂは、左右の側フレーム３２，３３の間の待機位置Ｍ１から側フレーム３２（又は３３）の開口部３２ａ（又は３３ａ）を通過して側フレーム３２（又は３３）の外側に位置するテープ引受位置Ｍ３（図２参照）まで移動でき、テープ保持面２５ａがテープ引受位置Ｍ３で片面粘着の接合テープＴ１を引受けるようにしてある。なお、保持具本体部２５ｂは、９０°回転できるように枢支し、下向きの保持面２５ａを横向きにすることで、接合テープＴ１の引受け作業をし易くしてある。
【００３６】
前記テープ貼着装置２４の進退操作装置２６は、図３に示す如く、例えば、前後方向移動させる前後移動手段４０と、前後移動手段４０に接続した昇降手段４１を備え、昇降手段４１に取付けたテープ保持具２５を上下方向及び前後方向へ進退できるようにしてある。前後移動手段４０は、左右の側フレーム３２，３３の内側に取付けた前後方向へ水平に延びる左右の案内レール４０ａと、左右の案内レール４０ａに横架して案内させた移動部４０ｂと、左右の側フレーム３２，３３に横架した接合フレーム４０ｃと移動部４０ｂの間に設けたエアーシリンダ等からなる移動操作具４０ｄを備えてある。上記昇降手段４１は、前後移動手段４０の移動部４０ｂに接合した左右の軸受部４１ｃと、各軸受部４１ｃにスライド自在に案内され一端（図示例の場合は下端）にテープ保持具２５の引出し案内具２５ｃを接合した前後一組の支持軸４１ｂと、軸受部４１ｃとテープ保持具２５との間に配置したエアーシリンダ等からなる左右の移動操作具４１ｄを備えている。進退操作装置２６は、前後移動手段４０の移動操作具４０ｄ及び昇降手段４１の移動操作具４１ｄを制御装置２９で制御して、テープ保持具２５を前後方向及び上下方向へ移動させて進退させるようにしてある。なお、進退操作装置２６は、テープ保持具２５を揺動させて待機位置Ｍ１から貼着位置Ｍ２までの間で進退させるように構成することも可能である。
【００３７】
本発明引取装置１は、図４〜図７に示す如く、ウエブ突合わせ継ぎ装置３０から新旧ウエブ通路Ｒ１に導かれる新旧ウエブＷ３を新旧ウエブ送り装置２で送り、作業台装置６の作業位置Ｇ１で停止中の作業面７ａに新旧ウエブＷ３の突合わせ継ぎ箇所Ｗ３ａを支持させた状態で停止させる（図４、図７（Ｂ）参照）と共に、引取シート進退装置１５の受取位置Ｈ１に停止中の吸引保持具１６の吸着面１６ａに、シート巻取装置９から延びる引取シートＳの先端側を吸引保持させた状態で、粘着テープ供給装置１８の両面粘着テープ用保持面１９ａが待機位置Ｋ１で保持している両面粘着テープＴ２（図７（Ａ）参照）を貼着位置Ｋ２へ移動させて引取シートＳの先端側に貼着し（図４、図７（Ｂ）参照）、その後に粘着テープ供給装置１８の両面粘着テープ用保持面１９ａを後退させて待機位置Ｋ１で待機させ、次に、吸引保持具１６の吸引面１６ａを受取位置Ｈ１から作業台７の作業面７ａに対面する接合位置Ｈ２まで前進させて両面粘着テープ付きの引取シートＳを引き出すと共に、作業面７ａに支持させた新ウエブＷ２の保護シートＷ２ａの先端側に、両面粘着テープＴ２を引取シートＳを介して吸引面１６ａで圧着して引取シートＳの先端側を接合し（図５、図７（Ｃ）参照）、続けて、吸引保持具１６の吸引面１６ａを接合位置Ｈ２から受取位置Ｈ１まで後退させて吸引面１６ａと共に移動する引取シートＳの先端側に接合してある保護シートＷ２ａを新ウエブＷ２の基本シートＷ２ｂから剥離しつつ移動させ（図７（Ｄ）参照）、その後に、受取位置Ｈ１で停止中の吸引保持具１６の吸引面１６ａを吸引停止状態にして、新旧ウエブＷ３の走行とシート巻取装置９による引取シートＳ及び保護シートＷ２ａの引き取りを並行して行なうことができる（図６、図７（Ｅ）参照）。
【００３８】
本発明引取装置１は、図４、図５、図７（Ｂ）〜（Ｄ）に示す如く、パスライン調整装置２１を備えているとき、吸引保持具１６の保持面１６ａに吸引保持されて吸引保持具１６と共に移動する引取シートＳのパスライン長さ寸法を一定にすることで引取シートＳの弛みを無くして張力を安定させることができ、新ウエブＷ２の保護シートＷ２ａの先端側に張力の安定した引取シートＳの先端側を円滑に接合できると共に、吸引保持具１６の吸引面１６ａを接合位置Ｈ２から受取位置Ｈ１まで後退させるときに、張力の安定している引取シートＳに接合している保護シートＷ２ａを円滑に剥離しつつ引き取ることができる。
【００３９】
本発明引取装置１は、図６及び図７（Ｅ）に示す如く、テープ貼着装置２４を備えているとき、新旧ウエブＷ３の他方面側の突合わせ端縁どうしに接合テープＴ１をテープ保持具２５で接合することができるので、新旧ウエブＷ３の接合を強固にできる。
【００４０】
次に、本発明引取方法の手順について、本発明引取装置１を用いて行なう図７に示す各工程に基づいて説明すると次の通りである。
【００４１】
（第１工程）
第１工程は、図７（Ａ）及び（Ｂ）に示す如く、受取位置Ｈ１で停止中の吸引保持具１６の吸引面１６ａに引取シートＳの先端側の一方面側を吸引保持させると共に、引取シートＳの先端側の他方面側に両面粘着テープＴ２を貼着することである。なお、パスライン調整装置２１を用いるときには、吸引保持具１６の吸引面１６ａへ至る引取シートＳを移動自在なパスライン調整用ガイドロール２２に巻掛ける。
【００４２】
受取位置Ｈ１で停止中の吸引保持具１６の吸引面１６ａの手前に引取シートＳの先端側が位置する（図示例の場合は、垂れ下がる）ようにシート送り装置１０で予め初期設定しておくと、制御装置２９からの指令を受けた引取シート進退装置１５は、第１工程において、吸引保持具１６の吸引面１６ａを非吸引の待機状態から吸引状態にし、吸引面１６ａに引取シートＳの先端側の一方面側を吸引保持する。両面粘着テープ供給装置１８は、予め側フレーム３２（又は３３）の外側の両面粘着テープ引受位置Ｋ３（図２参照）へ引き出した両面粘着テープ保持具１９の保持面１９ａに両面粘着テープＴ２を貼着した後に、左右の側フレーム３２，３３の間の待機位置Ｋ１へ両面粘着テープ保持具１９を押し込んで待機させ、制御装置２９からの指令を受けると、自動的に両面粘着テープ保持具１９の保持面１９ａが待機位置Ｋ１から貼着位置Ｋ２へ前進して引取シートＳの先端側に両面粘着テープＴ２を圧着し、その後に、両面粘着テープ用保持面１９ａが両面粘着テープＴ２を剥離して待機位置Ｋ１へ後退して待機する。
【００４３】
（第２工程）
第２工程は、図７（Ｂ）に示す如く、新旧ウエブＷ３を走行停止させて、作業台７の作業面７ａに新旧ウエブＷ３の突合わせ継ぎ箇所Ｗ３ａを支持させることである。作業台装置６は、突合わせ継ぎ箇所Ｗ３ａを支持させる前に、制御装置２９からの指示信号を受けて作業台７を待機位置Ｇ２から作業位置Ｇ１へ移動させる。新旧ウエブ送り装置２は、ウエブ突合わせ継ぎ装置３０から新旧ウエブ通路Ｒ１に導かれてくる新旧ウエブＷ３をニップ状態のシート送りロール３で送り、突合わせ継ぎ箇所Ｗ３ａの通過を検知した継ぎ目検知器２８の検知信号を受けた制御装置２９が新旧ウエブＷ３の速度に基づいて演算して出力した停止信号により、シート送りロール３を駆動する駆動装置５を自動的に停止させ、突合わせ継ぎ箇所Ｗ３ａを作業面７ａに支持させる。
【００４４】
（第３工程）
第３工程は、図７（Ｃ）に示す如く、吸引保持具１６の吸引面１６ａを受取位置Ｈ１から作業台７の作業面７ａに対面する接合位置Ｈ２まで前進させて、両面粘着テープ付きの引取シートＳを引き出すと共に、作業面７ａに支持させた新ウエブＷ２の保護シートＷ２ａの先端側に、両面粘着テープＴ２を引取シートＳを介して吸引面７ａで圧着して引取シートＳの先端側を接合することである。なお、パスライン調整装置２１を用いるときには、吸引保持具１６の移動と同期させてパスライン調整用ガイドロール２２を移動させ、シート巻取装置９から吸引保持具１６に至るシート通路Ｒ２上の引取シートＳのパスライン長さ寸法を一定にする。
【００４５】
第３工程において、引取シート進退装置１５（図３参照）は、制御装置２９から出力される指令信号を受けると、進退操装置１７の操作具１７ｄを作動させて、吸引保持具１６の吸引面１６ａを受取位置Ｈ１から作業台７の作業面７ａに対面する接合位置Ｈ２まで前進させて、吸引面１６ａが吸着保持しているに両面粘着テープ付きの引取シートＳを引き出すと共に、作業面７ａに支持させてある新旧ウエブＷ３の突合わせ継ぎ箇所Ｗ３ａを形成する新ウエブＷ２の保護シートＷ２ａの先端側に、両面粘着テープＴ２を介して引取シートＳの先端側を接合する。シート送り装置１０は、制御装置２９からの指令信号を受けてニップ状態を解除する。また、パスライン調整装置２１は、制御装置２９からの指令信号を受けて、移動操作装置２３（図３参照）が引取シート進退装置１５の進退操装置１７の操作具１７ｄと同期させつつ作動してパスライン調整用ガイドロール２２を移動させ、シート巻取装置９から吸引保持具１６に至るシート通路Ｒ２上の引取シートＳのパスライン長さ寸法を一定にして引取シートＳに弛みを生じさせないようにする。
【００４６】
（第４工程）
第４工程は、図７（Ｃ）及び（Ｄ）に示す如く、吸引保持具１６の吸引面１６ａを接合位置Ｈ２から受取位置Ｈ１まで後退させ、吸引面１６ａと共に移動する引取シートＳの先端側に接合している保護シートＷ２ａを新ウエブＷ２から剥離しつつ引き取ることである。なお、パスライン調整装置２１を用いるときには、吸引保持具１６の移動と同期させてパスライン調整用ガイドロール２２を移動させ、引取シートＳのパスライン長さ寸法を一定にする。
【００４７】
第４工程において、引取シート進退装置１５（図３参照）は、制御装置２９から出力される指令信号を受けると、進退操装置１７の操作具１７ｄを作動させて、吸引保持具１６の吸引面１６ａを接合位置Ｈ２から受取位置Ｈ１まで後退させる。シート送り装置１０は、制御装置２９からの指令信号を受けてニップ状態を維持する。また、パスライン調整装置２１は、制御装置２９からの指令信号を受けて、移動操作装置２３（図３参照）が引取シート進退装置１５の進退操装置１７の操作具１７ｄと同期させつつ作動してパスライン調整用ガイドロール２２を移動さ、シート巻取装置９から吸引保持具１６に至るシート通路Ｒ２上の引取シートＳのパスライン長さ寸法を一定にする。
【００４８】
（第５工程）
第５工程は、図７（Ｅ）に示す如く、受取位置Ｈ１で停止中の吸引保持具１６の吸引面１６ａを吸引停止状態にした状態で、新旧ウエブＷ３の走行と接合した引取シートＳ及び保護シートＷ２の引き取りを並行して行なうことである。なお、テープ貼着装置２４を用いるときには、新旧ウエブＷ３の走行と引取シートＳ及び保護シートＷ２の引き取りを行なう前に、作業台７の作業面７ａに支持させてある新旧ウエブＷ３の突合わせ継ぎ箇所Ｗ３ａの他方面側（図示例の場合は上面側）の突合わせ端縁に跨ってテープ貼着装置２４で接合テープＴ１を貼着する。
【００４９】
第５工程において、引取シート進退装置１５は、受取位置Ｈ１に至ると、吸引保持具１６の吸引面１６ａを吸引停止状態にする。その後に、新旧ウエブ送り装置２及びシート巻取装置９は、制御装置２９から出力される指令信号を受けると、駆動装置５及び巻取り駆動装置を起動させて、新旧ウエブＷ３の走行と、接合した引取シートＳ及び保護シートＷ２の引き取り及び巻き取りを行なう。
【００５０】
（各工程を実行する順番）
本発明引取方法は、上記第１工程乃至第５工程をこの順番で行なうか、第２工程、第１工程、第３工程、第４工程及び第５工程の順番で行なうか、又は第１工程及び第２工程を並行して行なった後に第３工程、第４工程及び第５工程の順番で行なう。各工程における操作は、制御装置２９から出力される指令信号に基づいて自動的に行なわせる以外に、手動で行なうことも可能である。
【００５１】
本発明引取方法は、作業台７の作業面７ａに支持されて停止中の新ウエブＷ２の保護シートＷ２ａの先端側に、両面粘着テープＴ２を引取シートＳを介して吸引保持具１６の吸引面１６ａで圧着して引取シートＳの先端側を確実に接合し、継がれている新旧ウエブＷ３の走行と両面粘着テープＴ２で接合した引取シートＳ及び保護シートＷ２ａの引き取りとを並行して行なうことで、新ウエブＷ２の保護シートＷ２ａを円滑に剥離しつつ引き取ることができる。
【００５２】
また、本発明引取方法は、パスライン調整装置２１を用いるとき、吸引保持具１６の保持面１６ａに吸引保持されて吸引保持具１６と共に移動する引取シートＳのパスライン長さ寸法を一定にすることで引取シートＳの張力を安定させることができ、第３工程において新ウエブＷ２の保護シートＷ２ａの先端側に、張力の安定した引取シートＳの先端側を円滑に接合でき、第４工程において張力の安定している引取シートＳに接合している保護シートＷ２ａを円滑に剥離しつつ引き取ることができる。更に、テープ貼着装置２４を用いるときには、第５工程において、新旧ウエブＷ３の他方面側の突合わせ端縁どうしを接合テープＴ１で接合するので、新旧ウエブＷ３の接合を強固にできる。
【００５３】
本発明引取装置１は、図８（Ａ）（Ｂ）に示す如く、ウエブ突合わせ継ぎ装置３０で基本シートＷ１ｂ及び保護シートＷ１ａからなる二枚合わせの旧ウエブＷ１に基本シートＷ２ｂ及び保護シートＷ２ａからなる二枚合わせの新ウエブＷ２を突合わせて、基本シートＷ１ｂ，Ｗ２ｂどうし及び保護シートＷ１ａ，Ｗ２ａどうしの各々を接合テープＴ３で接合して継いだ新旧ウエブＷ３に対応させることもできる。この場合の本発明引取装置１は、突合わせ継ぎした新旧ウエブＷ３から保護シートＷ１ａ，Ｗ２ａを連続的に剥離しつつ引き取ると共に、図８（Ｃ）に示す如く、新旧ウエブＷ３を停止させ、新旧ウエブＷ３の基本シートＷ１ｂ，Ｗ２ｂどうしの突合わせ継ぎ箇所の接合テープＴ３の貼着されている一方面側（図示例の場合は下面側）を作業台７の作業面７ａに支持させつつ、新旧ウエブＷ３の突合わせ継ぎ箇所Ｗ３ａの他方面側（図示例の場合は上面側）の突合わせ端縁に跨ってテープ貼着装置２４で接合テープＴ１を貼着することができる。接合テープＴ１を貼着した後は、図８（Ｃ）に示す如く、本発明引取装置１は、新旧ウエブ送り装置２及びシート巻取装置９を起動して、新旧ウエブＷ３を新旧ウエブ送り装置２で送ると共に保護シートＷ１ａ，Ｗ２ａをシート巻取装置９で巻き取る。
【００５４】
本発明引取装置１は、図９（Ａ）に示す如く、ウエブ突合わせ継ぎ装置３０で基本シートＷ１ｂ及び保護シートＷ１ａからなる二枚合わせの旧ウエブＷ１に一枚からなる新ウエブＷ２を突合わせて、旧ウエブＷ１の基本シートＷ１ｂと新ウエブＷ２を接合テープＴ３で接合して継いだ新旧ウエブＷ３に対応させることもできる。この場合の本発明引取装置１は、図９（Ｂ）に示す如く、新旧ウエブＷ３の突合わせ継ぎ箇所Ｗ３ａの通過を検知した継ぎ目検知器２８の検知信号を受けた制御装置２９（図１参照）が新旧ウエブＷ３の速度に基づいて演算して出力する停止信号により、新旧ウエブ送り装置２のシート送りロール３を駆動する駆動装置５（図２参照）を停止させ、新旧ウエブＷ３の突合わせ継ぎ箇所Ｗ３ａを作業面７ａに支持させると共に、シート送り装置１０のシート送りロール１１を駆動する駆動装置１３（図２参照）を停止させ、剥離している保護シートＷ１ａの末端側を受取位置Ｈ１で待機中の吸引保持具１６の吸着面１６ａと対面する位置に停止させる。
【符号の説明】
【００５５】
２…新旧ウエブ送り装置、３，４…新旧ウエブ送りロール、５…駆動装置、６…作業台装置、７…作業台、７ａ…作業面、８…進退操作装置、９…シート巻取装置、１０…シート送り装置、１１…シート送りロール、１２…ニップロール、１３…駆動装置、１５…引取シート進退装置、１６…吸引保持具、１６ａ…吸着面、１７…進退操作装置、１８…両面粘着テープ供給装置、１９…両面粘着テープ保持具、２０…進退操作装置、２１…パスライン調整装置、２２…パスライン調整用ガイドロール、２３…移動操作装置、２４…テープ貼着装置、２５…テープ保持具、２６…進退操作具、３０…ウエブ突合わせ継ぎ装置、３５…進退操作装置、３７…昇降手段、３８…前後移動手段、４０…前後移動手段、４１…昇降手段、Ｇ１…作業位置、Ｇ２…待機位置、Ｈ１…受取位置、Ｈ２…接合位置、Ｋ１…待機位置、Ｋ２…貼着位置、Ｋ３…両面テープ引受け位置、Ｍ１…待機位置、Ｍ２…貼着位置、Ｍ３…テープ引受け位置、Ｒ１…新旧ウエブ通路、Ｒ２…シート通路、Ｓ…引取シート、Ｔ１…片面粘着の接合テープ、Ｔ２…両面粘着テープ、Ｔ３…接合テープ、Ｗ１…旧ウエブ、Ｗ２…新ウエブ、Ｗ２ａ…保護シート、Ｗ２ｂ…基本シート、Ｗ３…新旧ウエブ、Ｗ３ａ…突合わせ継ぎ箇所
【図１】
2011088739.tif 000003
【図２】
2011088739.tif 000004
【図３】
2011088739.tif 000005
【図４】
2011088739.tif 000006
【図５】
2011088739.tif 000007
【図６】
2011088739.tif 000008
【図７】
2011088739.tif 000009
【図８】
2011088739.tif 000010
【図９】
2011088739.tif 000011